(57)【要約】【課題】画像情報を確実に分類することである。【解決手段】接続部１ｇに接続された外部機器等から受信された画像情報としての画像ファイルと、画像ファイルを分類するための分類用画像情報としてのアイコンファイルとが記憶部１ｅに記憶され、ＣＰＵ１ａは、記憶部１ｅに記憶された画像ファイル及びアイコンファイルを表示部１ｄに表示し、操作者の入力部１ｂを介した入力により、１つの画像ファイルに複数のアイコンファイルが対応付けられて選択され、その対応付けを示す対応付けファイルを作成して記憶部１ｅに記憶する。【選択図】　図２
2004013505.tif 000002
【特許請求の範囲】
【請求項１】
画像情報を記憶する記憶手段と、当該記憶手段に記憶された画像情報を表示する表示手段とを備える画像処理装置において、
前記記憶手段は、前記画像情報に対応付け可能な複数の分類用画像情報を更に記憶し、
前記記憶手段に記憶された前記画像情報及び前記分類用画像情報を前記表示手段に表示させ、前記画像情報とその画像情報に対応させる複数の分類用画像情報とを選択させる選択手段と、
前記選択手段により選択された画像情報と複数の分類用画像情報との対応関係に基づいて前記記憶手段に記憶された画像情報を分類して記憶させる分類手段と、
を備えることを特徴とする画像処理装置。
【請求項２】
前記各分類用画像情報は、静止画のアイコン情報又は動画情報であることを特徴とする請求項１記載の画像処理装置。
【請求項３】
前記記憶手段に記憶された複数の分類用画像情報は、人間、時間、場所及びイベントを示すものを含むことを特徴とする請求項１又は２記載の画像処理装置。
【請求項４】
前記表示手段において分類用画像情報を作成する作成手段を更に備え、
前記記憶手段は、前記作成手段において作成された分類用画像情報を記憶することを特徴とする請求項１、２又は３記載の画像処理装置。
【請求項５】
通信ネットワークと接続し、当該通信ネットワーク上の機器から分類用画像情報を受信する通信手段を更に備え、
前記記憶手段は、前記通信手段において受信された分類用画像情報を記憶することを特徴とする請求項１、２、３又は４記載の画像処理装置。
【請求項６】
複数の画像情報を格納するデータベースを複数記憶する記憶手段と、当該記憶手段に記憶されたデータベースを表示する表示手段とを備えた画像処理装置において、
前記記憶手段は、前記各データベース内の画像情報を分類するための分類情報を更に記憶し、
前記記憶手段に記憶されたデータベースのデータベース名を前記表示手段に表示させ、合成する複数のデータベースを選択させる選択手段と、
前記選択手段により選択された前記記憶手段内の複数のデータベースを合成し、当該合成したデータベースに対応して、前記記憶された分類情報も合成する合成手段とを備えることを特徴とする画像処理装置。
【請求項７】
前記分類情報は、画像情報を分類するためのカテゴリを識別するカテゴリＩＤと、絶対アドレスを有する画像情報名とを含むことを特徴とする請求項６記載の画像処理装置。
【請求項８】
前記カテゴリＩＤは、前記画像情報名に含まれることを特徴とする請求項７記載の画像処理装置。
【請求項９】
前記分類情報は、当該分類情報を作成したプログラムを識別するプログラムＩＤを含むことを特徴とする請求項６、７又は８記載の画像処理装置。
【請求項１０】
記憶手段に記憶された画像情報及び当該画像情報に対応付け可能な分類用画像情報を表示させ、前記画像情報とその画像情報に対応させる複数の分類用画像情報とを選択させる行程と、
前記選択された画像情報と複数の分類用画像情報との対応関係に基づいて前記記憶手段に記憶された画像情報を分類して記憶させる行程と、
を含むことを特徴とする画像処理方法。
【請求項１１】
前記各分類用画像情報は、静止画のアイコン情報又は動画情報であることを特徴とする請求項１０記載の画像処理方法。
【請求項１２】
前記記憶手段に記憶された複数の分類用画像情報は、人間、時間、場所及びイベントを示すものを含むことを特徴とする請求項１０又は１１記載の画像処理方法。
【請求項１３】
前記画像情報と複数の分類用画像情報とを選択させる行程の前に、
前記表示手段において分類用画像情報を作成する行程と、
前記作成された分類用画像情報を前記記憶手段に記憶する行程とを含むことを特徴とする請求項１０、１１又は１２記載の画像処理方法。
【請求項１４】
前記画像情報と複数の分類用画像情報とを選択させる行程の前に、
通信ネットワーク上の機器から分類用画像情報を受信する行程と、
前記受信された分類用画像情報を前記記憶手段に記憶する行程とを含むことを特徴とする請求項１０、１１、１２又は１３記載の画像処理方法。
【請求項１５】
記憶手段に複数記憶され複数の画像情報を格納するデータベースのデータベース名を表示手段に表示させ、合成する複数のデータベースを選択させる行程と、前記選択された前記記憶手段内の複数のデータベースを合成し、当該合成したデータベースに対応して、前記記憶手段に記憶され各データベース内の画像情報を分類するための分類情報も合成する行程とを含むことを特徴とする画像処理方法。
【請求項１６】
前記分類情報は、画像情報を分類するためのカテゴリを識別するカテゴリＩＤと、絶対アドレスを有する画像情報名とを含むことを特徴とする請求項１５記載の画像処理方法。
【請求項１７】
前記カテゴリＩＤは、前記画像情報名に含まれることを特徴とする請求項１６記載の画像処理方法。
【請求項１８】
前記分類情報は、当該分類情報を作成したプログラムを識別するプログラムＩＤを含むことを特徴とする請求項１５、１６又は１７記載の画像処理方法。
【請求項１９】
画像情報と当該画像情報に対応付け可能な複数の分類用画像情報とを記憶する記憶手段と、当該記憶手段に記憶された画像情報を表示する表示手段とを備える機器に搭載されたコンピュータに、
前記記憶手段に記憶された前記画像情報及び前記分類用画像情報を前記表示手段に表示させ、前記画像情報とその画像情報に対応させる複数の分類用画像情報とを選択させる機能と、
前記選択された画像情報と複数の分類用画像情報との対応関係に基づいて前記記憶手段に記憶された画像情報を分類して記憶させる機能と、
を実現させるための画像処理プログラム。
【請求項２０】
前記各分類用画像情報は、静止画のアイコン情報又は動画情報であることを特徴とする請求項１９記載の画像処理プログラム。
【請求項２１】
前記記憶手段に記憶された複数の分類用画像情報は、人間、時間、場所及びイベントを示すものを含むことを特徴とする請求項１９又は２０記載の画像処理プログラム。
【請求項２２】
前記コンピュータに、
前記表示手段において分類用画像情報を作成する機能と、
前記作成された分類用画像情報を前記記憶手段に記憶する機能とを実現させることを特徴とする請求項１９、２０又は２１記載の画像処理プログラム。
【請求項２３】
前記コンピュータに、
通信ネットワーク上の機器から分類用画像情報を受信する機能と、
前記受信された分類用画像情報を前記記憶手段に記憶する機能とを実現させることを特徴とする請求項１９、２０、２１又は２２記載の画像処理プログラム。
【請求項２４】
複数の画像情報を格納する複数のデータベースと当該各データベース内の画像情報を分類するための分類情報とを記憶する記憶手段と、当該記憶手段に記憶されたデータベースを表示する表示手段とを備えた機器に搭載されたコンピュータに、
前記記憶手段に記憶されたデータベースのデータベース名を前記表示手段に表示させ、合成する複数のデータベースを選択させる機能と、
前記記憶手段内の前記選択された複数のデータベースを合成し、当該合成したデータベースに対応して、前記記憶手段に記憶された分類情報も合成する機能と、
を実現させるための画像処理プログラム。
【請求項２５】
前記分類情報は、画像情報を分類するためのカテゴリを識別するカテゴリＩＤと、絶対アドレスを有する画像情報名とを含むことを特徴とする請求項２４記載の画像処理プログラム。
【請求項２６】
前記カテゴリＩＤは、前記画像情報名に含まれることを特徴とする請求項２５記載の画像処理プログラム。
【請求項２７】
前記分類情報は、当該分類情報を作成したプログラムを識別するプログラムＩＤを含むことを特徴とする請求項２４、２５又は２６記載の画像処理プログラム。
【請求項２８】
画像情報と当該画像情報に対応付け可能な複数の分類用画像情報とを記憶する記憶手段と、当該記憶手段に記憶された画像情報を表示する表示手段とを備える機器に搭載されたコンピュータに、
前記記憶手段に記憶された前記画像情報及び前記分類用画像情報を前記表示手段に表示させ、前記画像情報とその画像情報に対応させる複数の分類用画像情報とを選択させる機能と、
前記選択された画像情報と複数の分類用画像情報との対応関係に基づいて前記記憶手段に記憶された画像情報を分類して記憶させる機能と、
を実現させるための画像処理プログラムを記録したコンピュータ読取り可能な記録媒体。
【請求項２９】
前記各分類用画像情報は、静止画のアイコン情報又は動画情報であることを特徴とする請求項２８記載の画像処理プログラムを記録したコンピュータ読取り可能な記録媒体。
【請求項３０】
前記記憶手段に記憶された複数の分類用画像情報は、人間、時間、場所及びイベントを示すものを含むことを特徴とする請求項２８又は２９記載の画像処理プログラムを記録したコンピュータ読取り可能な記録媒体。
【請求項３１】
前記コンピュータに、
前記表示手段において分類用画像情報を作成する機能と、
前記作成された分類用画像情報を前記記憶手段に記憶する機能とを実現させることを特徴とする請求項２８、２９又は３０記載の画像処理プログラムを記録したコンピュータ読取り可能な記録媒体。
【請求項３２】
前記コンピュータに、
通信ネットワーク上の機器から分類用画像情報を受信する機能と、
前記受信された分類用画像情報を前記記憶手段に記憶する機能とを実現させることを特徴とする請求項２８、２９、３０又は３１記載の画像処理プログラムを記録したコンピュータ読取り可能な記録媒体。
【請求項３３】
複数の画像情報を格納する複数のデータベースと当該各データベース内の画像情報を分類するための分類情報とを記憶する記憶手段と、当該記憶手段に記憶されたデータベースを表示する表示手段とを備えた機器に搭載されたコンピュータに、
前記記憶手段に記憶されたデータベースのデータベース名を前記表示手段に表示させ、合成する複数のデータベースを選択させる機能と、
前記記憶手段内の前記選択された複数のデータベースを合成し、当該合成したデータベースに対応して、前記記憶手段に記憶された分類情報も合成する機能と、
を実現させるための画像処理プログラムを記録したコンピュータ読取り可能な記録媒体。
【請求項３４】
前記分類情報は、画像情報を分類するためのカテゴリを識別するカテゴリＩＤと、絶対アドレスを有する画像情報名とを含むことを特徴とする請求項３３記載の画像処理プログラムを記録したコンピュータ読取り可能な記録媒体。
【請求項３５】
前記カテゴリＩＤは、前記画像情報名に含まれることを特徴とする請求項３４記載の画像処理プログラムを記録したコンピュータ読取り可能な記録媒体。
【請求項３６】
前記分類情報は、当該分類情報を作成したプログラムを識別するプログラムＩＤを含むことを特徴とする請求項３３、３４又は３５記載の画像処理プログラムを記録したコンピュータ読取り可能な記録媒体。
【発明の詳細な説明】
【０００１】
【発明の属する技術分野】
本発明は、画像情報を分類する画像処理装置、画像処理方法、画像処理プログラム及び画像処理プログラムを記録した記録媒体に関する。
【０００２】
【従来の技術】
従来、画像ファイルを表示画面に表示する機器において、その画像ファイルを分類する構成がいくつか考えられている。例えば、人物を被写体とした画像ファイル中の顔のサイズ又は顔の位置により画像ファイルを分類する構成や、撮影時期又は撮影対象により画像ファイルを分類する構成があった。
【０００３】
また、画像ファイルをアルバム形式に表示する電子アルバムソフトウェアがあった。これは、複数の画像ファイルを１つのグループとして分類し、当該グループを１つのアルバムとして表示させていた。各アルバムを識別するために操作者がアルバムのタイトルを入力して、入力されたタイトル名によりアルバムを識別していた。
【０００４】
また、従来のコンピュータのオペレーティングシステムにおいて、画像ファイルを扱う場合、画像ファイルを識別するためのアイコンを、画像選択画面等で表示していた。また、複数の画像ファイルが格納されているフォルダ等のデータベース同士を合成する場合、操作者が手動でそのデータベースを合成していた。
【０００５】
【発明が解決しようとする課題】
しかし、より確実に画像ファイルを分類する要求がある。画像ファイルにアイコンを対応させて分類する構成では、１つの画像ファイルに複数のアイコンを対応させることができなかった。また、画像ファイルを分類するカテゴリとしては、人物の顔の情報、撮影時期、撮影対象だけでは不十分であり、これらのカテゴリのみから操作者がそのカテゴリに対応する画像内容を類推するのは難しく、画像ファイルの選択が困難な場合があった。
【０００６】
また、画像ファイルを分類する項目としてタイトル名を付与する構成では、タイトル名はテキスト情報のみからなり、操作者によるテキスト入力が大変面倒であり、かつ、閲覧者がそのタイトル名から、対応する画像内容をイメージ的に類推するのは難しく、画像ファイルの選択が困難な場合があった。また、画像ファイルが格納されたデータベース同士の合成は、操作者が手動で行うので、操作が面倒であり、その合成の際、仮にカテゴリにより画像ファイルを分類する場合にも手動で行わなければならなかった。
【０００７】
本発明の課題は、画像ファイルを容易且つ確実に分類することである。
【０００８】
【課題を解決するための手段】
以上の課題を解決するために、請求項１記載の発明は、画像情報を記憶する記憶手段と、当該記憶手段に記憶された画像情報を表示する表示手段とを備える画像処理装置において、前記記憶手段は、前記画像情報に対応付け可能な複数の分類用画像情報を更に記憶し、前記記憶手段に記憶された前記画像情報及び前記分類用画像情報を前記表示手段に表示させ、前記画像情報とその画像情報に対応させる複数の分類用画像情報とを選択させる選択手段と、前記選択手段により選択された画像情報と複数の分類用画像情報との対応関係に基づいて前記記憶手段に記憶された画像情報を分類して記憶させる分類手段と、を備えることを特徴とする。
【０００９】
請求項２記載の発明は、請求項１記載の画像処理装置において、前記各分類用画像情報は、静止画のアイコン情報又は動画情報であることを特徴とする。
【００１０】
請求項３記載の発明は、請求項１又は２記載の画像処理装置において、前記記憶手段に記憶された複数の分類用画像情報は、人間、時間、場所及びイベントを示すものを含むことを特徴とする。
【００１１】
請求項４記載の発明は、請求項１、２又は３記載の画像処理装置において、　前記表示手段において分類用画像情報を作成する作成手段を更に備え、前記記憶手段は、前記作成手段において作成された分類用画像情報を記憶することを特徴とする。
【００１２】
請求項５記載の発明は、請求項１、２、３又は４記載の画像処理装置において、　通信ネットワークと接続し、当該通信ネットワーク上の機器から分類用画像情報を受信する通信手段を更に備え、前記記憶手段は、前記通信手段において受信された分類用画像情報を記憶することを特徴とする。
【００１３】
請求項６記載の発明は、複数の画像情報を格納するデータベースを複数記憶する記憶手段と、当該記憶手段に記憶されたデータベースを表示する表示手段とを備えた画像処理装置において、前記記憶手段は、前記各データベース内の画像情報を分類するための分類情報を更に記憶し、前記記憶手段に記憶されたデータベースのデータベース名を前記表示手段に表示させ、合成する複数のデータベースを選択させる選択手段と、前記選択手段により選択された前記記憶手段内の複数のデータベースを合成し、当該合成したデータベースに対応して、前記記憶された分類情報も合成する合成手段とを備えることを特徴とする。
【００１４】
請求項７記載の発明は、請求項６記載の画像処理装置において、前記分類情報は、画像情報を分類するためのカテゴリを識別するカテゴリＩＤと、絶対アドレスを有する画像情報名とを含むことを特徴とする。
【００１５】
請求項８記載の発明は、請求項７記載の画像処理装置において、前記カテゴリＩＤは、前記画像情報名に含まれることを特徴とする。
【００１６】
請求項９記載の発明は、請求項６、７又は８記載の画像処理装置において、前記分類情報は、当該分類情報を作成したプログラムを識別するプログラムＩＤを含むことを特徴とする。
【００１７】
請求項１０記載の発明は、記憶手段に記憶された画像情報及び当該画像情報に対応付け可能な分類用画像情報を表示させ、前記画像情報とその画像情報に対応させる複数の分類用画像情報とを選択させる行程と、前記選択された画像情報と複数の分類用画像情報との対応関係に基づいて前記記憶手段に記憶された画像情報を分類して記憶させる行程と、を含むことを特徴とする。
【００１８】
請求項１１記載の発明は、請求項１０記載の画像処理方法において、前記各分類用画像情報は、静止画のアイコン情報又は動画情報であることを特徴とする。
【００１９】
請求項１２記載の発明は、請求項１０又は１１記載の画像処理方法において、前記記憶手段に記憶された複数の分類用画像情報は、人間、時間、場所及びイベントを示すものを含むことを特徴とする
【００２０】
請求項１３記載の発明は、請求項１０、１１又は１２記載の画像処理方法において、前記画像情報と複数の分類用画像情報とを選択させる行程の前に、前記表示手段において分類用画像情報を作成する行程と、前記作成された分類用画像情報を前記記憶手段に記憶する行程とを含むことを特徴とする。
【００２１】
請求項１４記載の発明は、請求項１０、１１、１２又は１３記載の画像処理方法において、前記画像情報と複数の分類用画像情報とを選択させる行程の前に、通信ネットワーク上の機器から分類用画像情報を受信する行程と、前記受信された分類用画像情報を前記記憶手段に記憶する行程とを含むことを特徴とする。
【００２２】
請求項１５記載の発明は、記憶手段に複数記憶され複数の画像情報を格納するデータベースのデータベース名を表示手段に表示させ、合成する複数のデータベースを選択させる行程と、前記選択された前記記憶手段内の複数のデータベースを合成し、当該合成したデータベースに対応して、前記記憶手段に記憶され各データベース内の画像情報を分類するための分類情報も合成する行程とを含むことを特徴とする。
【００２３】
請求項１６記載の発明は、請求項１５記載の画像処理方法において、前記分類情報は、画像情報を分類するためのカテゴリを識別するカテゴリＩＤと、絶対アドレスを有する画像情報名とを含むことを特徴とする。
【００２４】
請求項１７記載の発明は、請求項１６記載の画像処理方法において、前記カテゴリＩＤは、前記画像情報名に含まれることを特徴とする。
【００２５】
請求項１８記載の発明は、請求項１５、１６又は１７記載の画像処理方法において、前記分類情報は、当該分類情報を作成したプログラムを識別するプログラムＩＤを含むことを特徴とする。
【００２６】
請求項１９記載の発明は、画像情報と当該画像情報に対応付け可能な複数の分類用画像情報とを記憶する記憶手段と、当該記憶手段に記憶された画像情報を表示する表示手段とを備える機器に搭載されたコンピュータに、前記記憶手段に記憶された前記画像情報及び前記分類用画像情報を前記表示手段に表示させ、前記画像情報とその画像情報に対応させる複数の分類用画像情報とを選択させる機能と、前記選択された画像情報と複数の分類用画像情報との対応関係に基づいて前記記憶手段に記憶された画像情報を分類して記憶させる機能と、を実現させるための画像処理プログラムであることを特徴とする。
【００２７】
請求項２０記載の発明は、請求項１９記載の画像処理プログラムにおいて、前記各分類用画像情報は、静止画のアイコン情報又は動画情報であることを特徴とする。
【００２８】
請求項２１記載の発明は、請求項１９又は２０記載の画像処理プログラムにおいて、前記記憶手段に記憶された複数の分類用画像情報は、人間、時間、場所及びイベントを示すものを含むことを特徴とする。
【００２９】
請求項２２記載の発明は、請求項１９、２０又は２１記載の画像処理プログラムにおいて、前記コンピュータに、前記表示手段において分類用画像情報を作成する機能と、前記作成された分類用画像情報を前記記憶手段に記憶する機能とを実現させることを特徴とする。
【００３０】
請求項２３記載の発明は、請求項１９、２０、２１又は２２記載の画像処理プログラムにおいて、前記コンピュータに、通信ネットワーク上の機器から分類用画像情報を受信する機能と、前記受信された分類用画像情報を前記記憶手段に記憶する機能とを実現させることを特徴とする。
【００３１】
請求項２４記載の発明は、複数の画像情報を格納する複数のデータベースと当該各データベース内の画像情報を分類するための分類情報とを記憶する記憶手段と、当該記憶手段に記憶されたデータベースを表示する表示手段とを備えた機器に搭載されたコンピュータに、前記記憶手段に記憶されたデータベースのデータベース名を前記表示手段に表示させ、合成する複数のデータベースを選択させる機能と、前記記憶手段内の前記選択された複数のデータベースを合成し、当該合成したデータベースに対応して、前記記憶手段に記憶された分類情報も合成する機能と、を実現させるための画像処理プログラムであることを特徴とする。
【００３２】
請求項２５記載の発明は、請求項２４記載の画像処理プログラムにおいて、　前記分類情報は、画像情報を分類するためのカテゴリを識別するカテゴリＩＤと、絶対アドレスを有する画像情報名とを含むことを特徴とする。
【００３３】
請求項２６記載の発明は、請求項２５記載の画像処理プログラムにおいて、前記カテゴリＩＤは、前記画像情報名に含まれることを特徴とする。
【００３４】
請求項２７記載の発明は、請求項２４、２５又は２６記載の画像処理プログラムにおいて、前記分類情報は、当該分類情報を作成したプログラムを識別するプログラムＩＤを含むことを特徴とする。
【００３５】
請求項２８記載の発明は、画像情報と当該画像情報に対応付け可能な複数の分類用画像情報とを記憶する記憶手段と、当該記憶手段に記憶された画像情報を表示する表示手段とを備える機器に搭載されたコンピュータに、前記記憶手段に記憶された前記画像情報及び前記分類用画像情報を前記表示手段に表示させ、前記画像情報とその画像情報に対応させる複数の分類用画像情報とを選択させる機能と、前記選択された画像情報と複数の分類用画像情報との対応関係に基づいて前記記憶手段に記憶された画像情報を分類して記憶させる機能と、を実現させるための画像処理プログラムを記録したコンピュータ読取り可能な記録媒体であることを特徴とする。
【００３６】
請求項１、１０、１９又は２８記載の発明によれば、画像情報に複数の分類用画像情報を対応付けて、細かく確実に画像情報を分類することができる。
【００３７】
請求項２９記載の発明は、請求項２８記載の画像処理プログラムを記録したコンピュータ読取り可能な記録媒体において、前記各分類用画像情報は、静止画のアイコン情報又は動画情報であることを特徴とする。
【００３８】
請求項２、１１、２０又は２９記載の発明によれば、静止画のアイコン情報又は動画の分類用画像情報を用いるので、より細かく画像情報を分類することができる。
【００３９】
請求項３０記載の発明は、請求項２８又は２９記載の画像処理プログラムを記録したコンピュータ読取り可能な記録媒体において、前記記憶手段に記憶された複数の分類用画像情報は、人間、時間、場所及びイベントを示すものを含むことを特徴とする。
【００４０】
請求項３、１２、２１又は３０記載の発明によれば、少なくとも、人物、時間、イベント、場所を示す分類用画像情報を用いるので、操作者の要望に応じて、より細かく画像情報を分類することができる。
【００４１】
請求項３１記載の発明は、請求項２８、２９又は３０記載の画像処理プログラムを記録したコンピュータ読取り可能な記録媒体において、前記コンピュータに、前記表示手段において分類用画像情報を作成する機能と、前記作成された分類用画像情報を前記記憶手段に記憶する機能とを実現させることを特徴とする。
【００４２】
請求項４、１３、２２又は３１記載の発明によれば、分類用画像情報は、その作成により容易に追加されることができ、追加された分類用画像情報により細かく画像情報を分類することができる。
【００４３】
請求項３２記載の発明は、請求項２８、２９、３０又は３１記載の画像処理プログラムを記録したコンピュータ読取り可能な記録媒体において、前記コンピュータに、通信ネットワーク上の機器から分類用画像情報を受信する機能と、前記受信された分類用画像情報を前記記憶手段に記憶する機能とを実現させることを特徴とする。
【００４４】
請求項５、１４、２３又は３２記載の発明によれば、分類用画像情報は、外部機器から受信して容易に追加されることができ、追加された分類用画像情報により細かく画像情報を分類することができる。
【００４５】
請求項３３記載の発明は、複数の画像情報を格納する複数のデータベースと当該各データベース内の画像情報を分類するための分類情報とを記憶する記憶手段と、当該記憶手段に記憶されたデータベースを表示する表示手段とを備えた機器に搭載されたコンピュータに、前記記憶手段に記憶されたデータベースのデータベース名を前記表示手段に表示させ、合成する複数のデータベースを選択させる機能と、前記記憶手段内の前記選択された複数のデータベースを合成し、当該合成したデータベースに対応して、前記記憶手段に記憶された分類情報も合成する機能と、を実現させるための画像処理プログラムを記録したコンピュータ読取り可能な記録媒体であることを特徴とする。
【００４６】
請求項６、１５、２４又は３３記載の発明によれば、複数のデータベースの合成と共に、その分類情報を自動的に合成するので、複数のデータベースを合成する場合にも画像情報を容易に確実に分類することができる。
【００４７】
請求項３４記載の発明は、請求項３３記載の画像処理プログラムを記録したコンピュータ読取り可能な記録媒体において、前記分類情報は、画像情報を分類するためのカテゴリを識別するカテゴリＩＤと、絶対アドレスを有する画像情報名とを含むことを特徴とする。
【００４８】
請求項７、１６、２５又は３４記載の発明によれば、分類情報はカテゴリＩＤと絶対アドレスを含む画像情報名を含むので、データベース合成後もカテゴリＩＤに応じて画像情報を効率的に検索できる。
【００４９】
請求項３５記載の発明は、請求項３４記載の画像処理プログラムを記録したコンピュータ読取り可能な記録媒体において、前記カテゴリＩＤは、前記画像情報名に含まれることを特徴とする。
【００５０】
請求項８、１７、２６又は３５記載の発明によれば、画像情報名にカテゴリＩＤを含めるので、画像情報名を検索するだけでカテゴリＩＤを検索するので、カテゴリＩＤを迅速に検索することができる。
【００５１】
請求項３６記載の発明は、請求項３３、３４又は３５記載の画像処理プログラムを記録したコンピュータ読取り可能な記録媒体において、前記分類情報は、当該分類情報を作成したプログラムを識別するプログラムＩＤを含むことを特徴とする。
【００５２】
請求項９、１８、２７又は３６記載の発明によれば、分類情報はプログラムＩＤを含むので、分類情報が合成可能かを容易に識別できる。
【００５３】
【発明の実施の形態】
以下、添付図面を参照して、本発明における第１の実施の形態及び第２の実施の形態を順に説明する。
【００５４】
（第１の実施の形態）
図１〜図８を参照して本実施の形態を説明する。先ず、図１及び図２を参照して装置的特長を説明する。図１は、本実施の形態の画像表示装置１を示す概略図であり、図２は、画像表示装置１の内部構成を示す図である。
【００５５】
図１に示すように、本実施の形態における画像表示装置１は、デジタル画像を撮影して記憶するＤＳＣ（Ｄｉｇｉｔａｌ　Ｓｔｉｌｌ　Ｃａｍｅｒａ）２と、画像情報としての画像ファイルが記録されたＭＯディスク（Ｍａｇｎｅｔｏ　Ｏｐｔｉｃａｌ　ｄｉｓｋ）から画像ファイルを読込むＭＯドライブ３、画像ファイルを記憶するＨＤＤ（Ｈａｒｄ　Ｄｉｓｋ　Ｄｒｉｖｅ）４と接続される。画像表示装置１は、接続されたＤＳＣ２、ＭＯドライブ３又はＨＤＤ４から画像を受信する。
【００５６】
図２に示すように、画像表示装置１は、各部の中央制御を行うＣＰＵ（Ｃｅｎｔｒａｌ　Ｐｒｏｃｅｓｓｉｎｇ　Ｕｎｉｔ）１ａと、操作者に情報を入力させる入力部１ｂと、情報を一時的に格納するＲＡＭ（Ｒａｎｄｏｍ　Ａｃｃｅｓｓ　Ｍｅｍｏｒｙ）１ｃと、情報を表示する表示部１ｄと、情報を記憶する記憶部１ｅと、通信ネットワークへの情報の送受信を行う通信部１ｆと、ＤＳＣ２、ＭＯドライブ３、ＨＤＤ４と接続する接続部１ｇと、ＣＰＵ１ａ、入力部１ｂ、ＲＡＭ１ｃ、表示部１ｄ、記憶部１ｅ、通信部１ｆ、接続部１ｇを接続するバス１ｈとを備える。
【００５７】
ＣＰＵ１ａは、画像ファイル分類処理を実行する。ＣＰＵ１ａは、画像ファイル分類処理の実行により、表示部１ｄに画像選択画面を表示し、入力部１ｂに操作者から画像の選択を受付けさせ、表示部１ｄにアイコン選択画面を表示し、入力部１ｂに操作者から少なくとも１枚のアイコンの選択を受付けさせ、選択された画像の画像ファイルと選択されたアイコンとを対応付ける対応付けファイルを作成して記憶部１ｅに記憶する（図３参照）。ＣＰＵ１ａは、請求項に記載の分類手段、作成手段、合成手段の機能を有する。
【００５８】
入力部１ｂは、カーソルキー、数字入力キー及び各種機能キー等を備えたキーボード及びポインティングデバイスとしてマウス等を含み、操作者によりキーボードで押下された押下信号やポインティングデバイスの位置信号をＣＰＵ１ａに出力する。入力部１ｂは、請求項に記載の選択手段、作成手段の機能を有する。
【００５９】
ＲＡＭ１ｃは、各種プログラム、入力指示、入力データ及び処理結果等の各種データを、ＣＰＵ１ａでランダムアクセス展開可能に格納するメモリ領域を有して、各種状態を記憶するメモリである。
【００６０】
表示部１ｄは、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）、ＰＤＰ（Ｐｌａｓｍａ　Ｄｉｓｐｌａｙ　Ｐａｎｅｌ）、ＥＬ（Ｅｌｅｃｔｒｏ　Ｌｕｍｉｎｅｓｃｅｎｃｅ）ディスプレイ等を備え、ＣＰＵ１ａから入力される表示指示に従って各種表示データの画面表示を行わせる。表示部１ｄは、請求項に記載の表示手段の機能を有する。
【００６１】
記憶部１ｅは、データなどが予め記憶されまたは書込み可能な記録媒体（図示せず）を有し、当該記録媒体は、磁気的、光学的記録媒体、若しくは半導体等の不揮発性メモリ等のＣＰＵ１ａ読取り可能な記録媒体で構成されている。記録媒体は、固定ハードディスク等の固定的に設けたもの、若しくは、ＣＤ−ＲＷ、ＤＶＤ−ＲＷ、ＤＶＤ−ＲＡＭ、メモリカード、携帯ハードディスク等の着脱自在に装着する可搬型のものを含む。
【００６２】
本実施の形態では、記憶部１ｅは、画像表示プログラムを記憶する。当該プログラムデータは、ＤＶＤ、ＣＤ等の読込み可能な記録媒体から読込む構成でもよい。
【００６３】
また、記憶部１ｅに記憶されたプログラム、データ等は、その一部若しくは全部を外部機器からＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）等の通信ネットワークを介して通信部１ｆから受信して格納する構成にしてもよく、また、記憶部１ｅは通信ネットワーク上に構築された外部機器の記憶装置であってもよい。更に、前記各種プログラムを通信ネットワークを介して外部機器へ送信及びインストールする構成にしてもよい。記憶部１ｅは、請求項に記載の記憶手段の機能を有する。
【００６４】
通信部１ｆは、通信ネットワークを介して、外部機器との通信を行うためのネットワークカード、モデム、ＴＡ（Ｔｅｒｍｉｎａｌ　Ａｄａｐｔｅｒ）、ルータ等によって構成される。通信部１ｆは、請求項に記載の通信手段の機能を有する。
【００６５】
通信ネットワークは、例えば、インターネット等のネットワークであり、ＬＡＮ、ＷＡＮを含めてもよく、電話回線網、ＩＳＤＮ回線網、広域帯通信回線網、専用線、移動体通信網、通信衛星回線、ＣＡＴＶ回線、光通信回線、無線通信回線と、それらを接続するインターネットサービスプロバイダ等を含む構成でもよい。
【００６６】
接続部１ｇは、ＤＳＣ２、ＭＯドライブ３、ＨＤＤ４と接続し、ＣＰＵ１ａの命令により、接続されたＤＳＣ２、ＭＯドライブ３、ＨＤＤ４から画像ファイルを受信し、記憶部１ｅへ送信する。記憶部１ｅは、当該画像ファイルを記憶する。
【００６７】
なお、画像表示装置１は、本実施の形態において、１台の情報処理装置で表現しているが、例えば通信ネットワークを介した複数の機器を設置すること等により、各種機能を複数の機器で分散して実行する構成でもよい。この場合、各種機能を実行する負荷が分散される。
【００６８】
次に、本実施の形態の動作を図３〜図８を参照して説明する。図３は、第１の画像ファイル分類処理のフローチャートであり、図４は、メニュー画面Ｄ１を示す図であり、図５は、画像選択画面Ｄ２を示す図であり、図６は、アイコン選択画面Ｄ３を示す図であり、図７は、アルバム選択画面Ｄ４を示す図であり、図８は、複数のアイコンが付与されたアルバムＤ４２ａを示す図である。
【００６９】
図３に示す画像ファイル分類処理を説明する。画像表示装置１のＣＰＵ１ａは、画像ファイルにアイコンを対応付けて分類する画像ファイル分類処理を実行する。予め、記憶部１ｅには、画像ファイル表示処理及び画像ファイル分類処理のプログラムコードと、ＤＳＣ２、ＭＯドライブ３、ＨＤＤ４から接続部１ｇを介して受信された画像ファイルと、各画像ファイルを分類するための各種アイコンファイルとが記憶されている。
【００７０】
予め、ＣＰＵ１ａは、画像ファイルを表示する画像ファイル表示処理のプログラムコードを記憶部１ｅから読込んで、ＲＡＭ１ｃに展開自在に画像ファイル分類処理の実行を開始する。
【００７１】
そして、ＣＰＵ１ａは、表示部１ｄにメニュー画面を表示させる。図４に示すメニュー画面の一例としてメニュー画面Ｄ１上には、写真等の画像ファイルを新たに記憶部１ｃに追加する処理に移行するための写真追加ボタンＤ１１と、アルバム閲覧処理に移行するためのアルバムボタンＤ１２と、画像ファイル分類処理に移行するための設定ボタンＤ１３と、各種ヘルプを表示する処理に移行するためのヘルプボタンＤ１４とを有する。
【００７２】
そして、ＣＰＵ１ａは、操作者から入力部１ｂを介して設定ボタンＤ１３を押下入力されたことをトリガーとして、記憶部１ｅに予め記憶されている画像ファイル分類処理のプログラムデータを読込んで、当該プログラムデータをＲＡＭ１ｃに展開自在に、画像ファイル分類処理の実行を開始する。
【００７３】
先ず、ＣＰＵ１ａは、記憶部１ｅから画像ファイルを読込み、当該読込まれた画像ファイルをサムネイルとして表示する画像選択画面を表示部１ｄに表示させる（ステップＳ１１）。画像選択画面の一例である画像選択画面Ｄ２は、図５に示すように、画像ファイルを縮小した複数のサムネイルＤ２１と、選択された画像の分類ボタンＤ２２とを有する。
【００７４】
そして、ＣＰＵ１ａは、入力部１ｂに、操作者からの画像選択入力を受付けさせる（ステップＳ１２）。操作者は、入力部１ｂのマウスを用いて、画像選択画面Ｄ２上のサムネイルＤ２１をクリックして、分類する画像を少なくとも１枚選択し、選択が完了したら、分類ボタンＤ２２をクリックすることにより、画像を選択入力する。
【００７５】
そして、ＣＰＵ１ａは、記憶部１ｅからアイコンファイルを読込み、当該読込まれたアイコンファイルを画面上のアイコンとして表示するアイコン選択画面を表示部１ｄに表示させる（ステップＳ１３）。アイコン選択画面の一例であるアイコン選択画面Ｄ３は、図６に示すように、各種分類情報を表す複数のアイコンＤ３１と、アイコンＤ３１から選択されたアイコンが貼付けられた状態を仮表示するプレビューＤ３２と、選択されたアイコンの選択を実行する選択ボタンＤ３３とを有する。各アイコンＤ３１は、アルバムのタイトルに相当する。また、アイコンＤ３１は、静止画のアイコンであるとする。
【００７６】
そして、ＣＰＵ１ａは、入力部１ｂに、操作者からのアイコン選択入力を受付けさせる（ステップＳ１４）。操作者は、入力部１ｂのマウスを用いて、アイコン選択画面Ｄ３上のアイコンＤ３１をクリックして、プレビューＤ３２を参照して、ステップＳ１２で選択された画像を分類するにふさわしいアイコンを少なくとも１つ選択し、選択が完了したら、選択ボタンＤ３３をクリックすることにより、アイコンを選択入力する。
【００７７】
そして、ＣＰＵ１ａは、ステップＳ１４において選択されたアイコンに、ステップＳ１２において選択された画像を対応付けるための対応付けファイルを作成して記憶部１ｅに記憶し（ステップＳ１５）、画像ファイル分類処理を終了する。対応付けファイルは、例えば、選択された画像の画像ファイルの画像ファイル名と、当該画像ファイル名に対応するアイコンファイル名とを格納する。
【００７８】
画像ファイル分類処理の終了後、ＣＰＵ１ａは、表示部１ｄにメニュー画面Ｄ１を表示する。そして、操作者により１ｂを介してアルバムボタンＤ１２がクリックされた場合、ＣＰＵ１ａは、記憶部１ｅから対応付けファイル及び対応付けファイルに記録されたアイコンファイルを読込み、当該アイコンファイルを用いて、表示部１ｄにアルバム閲覧画面を表示させる。アルバム閲覧画面として、例えば、図７に示すアルバム閲覧画面Ｄ４を表示させる。
【００７９】
アルバム閲覧画面Ｄ４は、アイコンＤ４１が貼付けられたアルバムＤ４２を有する。操作者が、入力部１ｂのマウスを用いて各アルバムＤ４２をクリックされた場合、ＣＰＵ１ａは、対応付けファイルを参照して、選択されたアルバムのアイコンに対応する画像ファイルを記憶部１ｅから読込み、当該画像ファイルの画像を表示部１ｄに表示させる。
【００８０】
アルバム閲覧画面Ｄ４には、各アルバム１つに対応して１つのアイコンが対応付けられている。ステップＳ１４においては、１つのアイコンを選択させるだけではなく、複数のアイコンを選択させることもできる。複数のアイコンが選択された場合、１つのアルバム（の画像）につき複数のアイコンが対応付けられることとなる。
【００８１】
その場合、アルバム閲覧画面上のアルバムは、例えば、図８に示すアルバムＤ４２ａのように表示される。アルバムＤ４２ａには、３つのアイコンＤ４１ａ，Ｄ４１ｂ，Ｄ４１ｃが対応付けられている。複数のアイコンは、アルバムＤ４２ａに示すように１枚ずつずらし重ねて表示させる構成でもよいし、アイコン自体を小さくし全てのアイコンを１度に表示させる構成でもよいし、スライド表示のようにアイコンを１枚ずつ一定時間間隔で順に表示させる構成等でもよい。
【００８２】
ここで、各アイコンは、予め記憶部１ｅに記憶されているが、少なくとも、人間、時間、イベント、場所を表現するアイコンが含まれているものとする。人間を表現するアイコンとは、例えば、本人、家族の構成員（祖父、祖母、父、母、兄、姉、弟、妹、息子、娘等）、親戚、友人、会社の人間、等を表現する。
【００８３】
時間を表現するアイコンとは、年月日、朝昼夜、季節等や、人生の経時を表現する、赤ちゃん、小学校、中学校、大学、社会人、２０代、等を表現する。イベントを表現するアイコンとは、出産、入園式、入学式、卒業式、遠足、結婚式、旅行等を表現する。場所を表現するアイコンとは、名所、旅行先、家、実家、会社、上記イベントのあった場所、等を表現する。
【００８４】
これらのアイコンは、複数組合せることが可能である。例えば、息子が小学校の遠足で京都に行ったときのアルバムを作成する場合には、人間として「息子」、時間として「小学校」、イベントとして「遠足」、場所として「京都」の各アイコンを組合わる。これらのアイコンは、複数組合せることで、画像ファイルを更に細かく分類することができる。
【００８５】
また、図８に示すように、人間として「赤ちゃん」を表現するアイコンＤ４１ｃ、時間として「昼」を表現するアイコン４１ｂ、「冬」を表現するアイコン４１ａを表現するアイコン４１ｃの組合せのように、人間同士、時間同士、イベント同士、場所同士を更に複数組合せる構成でもよい。
【００８６】
また、各アイコンは、予め記憶部１ｅに記憶されているが、操作者により、アイコンの作成を行うことができる。アイコンの作成は、例えば、操作者の入力部１ｂを介する入力により、記憶部１ｅに記憶されている画像をアイコンのサイズ（例えば、２５６＊２５６ドット）に縮小して作成し、或いは、作図ソフトウェアにより作図してアイコンを作成し、作成されたアイコンを記憶部１ｅに追加記憶させ、次回からの画像ファイルの分類に用いる構成にすることもできる。
【００８７】
また、操作者による入力部１ｂを介した入力により、ＣＰＵ１ａは、通信部１ｆを介して、通信ネットワーク上のアイコンを提供するサーバからアイコンファイルをダウンロードして、ダウンロードしたアイコンファイルを記憶部１ｅに追加して記憶することもできる。
【００８８】
また、ＣＤ，ＤＶＤ等の可搬の記録媒体にアイコンファイルが記録されて販売又は頒布され、操作者は、その記録媒体を取得し、その記録媒体を画像表示装置１の記憶部１ｅ、又は接続部１ｇに接続された外部記憶装置にセットし、当該記録媒体上のアイコンを読込んで記憶部１ｅに追加記録させる構成でもよい。
【００８９】
よって、本実施の形態によれば、画像ファイルに複数のアイコンファイルを対応付けて、より細かく確実に画像ファイルを分類することができる。また、静止画又は動画のアイコンファイルを用いるので、より細かく画像ファイルを分類することができる。
【００９０】
また、人物、時間、イベント、場所を表現するアイコンを用いるので、操作者の要望に応じて、より細かく画像ファイルを分類することができる。また、アイコンファイルは、操作者による作成、記録媒体等からの入力、外部機器からのダウンロード等により容易に追加されることができ、追加されたアイコンにより細かく画像ファイルを分類することができる。
【００９１】
なお、画像ファイルを分類する分類用画像情報としては、静止画のアイコンに限るものではなく、静止画アイコン、動画のうちの何れか又は両方を用いることも可能である。静止画のアイコンに加えて、動画を用いることにより、画像ファイルを更に細かく分類することができる。複数の動画を１つのアルバムに対応付ける場合は、複数の動画を順次再生させることが好ましい。
【００９２】
また、アイコンに更に音楽を対応付ける構成も可能であり、アルバム閲覧者は、アイコンにより視覚的に分類の内容が把握でき、更に音楽により聴覚的に分類の内容が把握できる。
【００９３】
（第２の実施の形態）
図９〜図１０を参照して本実施の形態を説明する。図９は、分類用データファイル１１の構成を示す図であり、図１０は、データベース合成処理のフローチャートであり、図１１は、合成する２つの分類用データファイル１２，１３の構成を示す図であり、図１２は、合成後の分類用データファイル１４の構成を示す図である。
【００９４】
本実施の形態では、第１の実施の形態における画像表示装置１を使用し、その装置的特長の説明は第１の実施の形態と異なる部分のみを説明する。第１の実施の形態における、アイコンファイルが対応付けられた画像ファイルを単数又は複数枚格納されたデータベースが記憶部１ｅに記憶される構成である。今、記憶部１ｅは、複数のデータベースを記憶しており、記憶されたデータベース中の２つのデータベースを合成する場合を説明する。
【００９５】
第１の実施の形態における画像ファイル分類処理のステップＳ１３において作成及び記憶された対応付けファイルとして、本実施の形態においては分類用データファイルを記憶部１ｅに記憶する。分類用データファイルは、各データベースに１つずつ設けられるものとするが、これに限るものではなく、各アルバムに１つずつ設けられるものとしてもいいし、複数のアルバムの情報を１つの分類用データファイルに格納する構成等でもよい。
【００９６】
ＣＰＵ１ａは、データベース合成処理を実行する。データベース合成処理の実行により、ＣＰＵ１ａは、記憶部１ｅに記憶されたデータベース名を表示部１ｄに表示させ、入力部１ｂに操作者から複数のデータベース名の入力を受付けさせ、入力されたデータベース名に対応する記憶部１ｅに記憶された複数のデータベースを合成し、合成前のデータベースの分類用データファイルが、同じアプリケーションＩＤを有している場合、その分類用データファイルの画像ファイル、カテゴリＩＤを合成して合成分類用データベースを作成して記憶部１ｅに記憶する（図１０参照）。
【００９７】
ここで、図９を参照して、分類用データファイルの一例を説明する。図９に示すように、分類用データファイル１１は、分類用データファイル１１を作成したアプリケーションプログラムを識別するアプリケーションＩＤ１１１と、画像ファイルの分類の主体であるカテゴリを識別するカテゴリＩＤ１１２と、アプリケーションＩＤ１１１及びカテゴリＩＤ１１２に属する画像ファイル名１１３とを格納する。カテゴリとは、ここでは、アルバムを分類する単数又は複数の、静止画のアイコン、動画又はテキストデータであるとする。
【００９８】
ここで、カテゴリＩＤ１１２の表記を説明する。カテゴリＩＤ１１２の１桁目は、カテゴリを表現する手法として、静止画アイコンの場合「Ｉ」を用い、動画の場合「Ｍ」を用い、テキストデータの場合「Ｔ」を用いるものとする。カテゴリＩＤ１１２の２桁目は、カテゴリである静止画アイコン、動画又はテキストデータの数を示す。カテゴリＩＤ１１２の３桁目は、カテゴリを表現する手法内の番号を示す。例えば、「息子」、「小学校」、「遠足」、「京都」がそれぞれ順に、「１」、「４」、「７」、「９」と設定される。この場合、静止画アイコンの「息子」、「小学校」、「遠足」、「京都」の４つのアイコンでアルバムを表現する場合、カテゴリＩＤの表記は、「Ｉ４１４７９」となる。
【００９９】
また、カテゴリＩＤは、静止画のアイコンと動画を組合せる場合、例えば、「ＩＸＸＸＸＸ」のあと、「ＭＸＸＸＸＸ」を付加して組合せる。また、画像ファイル名１１３は、実画像ファイル名とその実画像ファイル名の絶対アドレス（上位フォルダ等の絶対パス名等）を表記する。例え、実画像ファイル名が「ＸＸＸＸ０００１．ｊｐｇ」その絶対アドレスが「／ＤＣＩＭ／１００ＫＣＩＭＧ／」である場合、「／ＤＣＩＭ／１００ＫＣＩＭＧ／　ＸＸＸＸ０００１．ｊｐｇ」と表記される。
【０１００】
分類用データファイル１１は、１つの分類用データファイルに、複数のカテゴリ情報を有する構成であるが、これに限るものではなく、１つの分類用データファイルに、単数のカテゴリ情報を有する構成としてもよい。また、画像ファイル名の中にカテゴリ情報を含めるようにすれば、あるカテゴリ情報に対応する画像ファイルを検索する場合でも、画像ファイル名のみを検索すればいいので、検索処理が早くなる。
【０１０１】
ここで、図１０を参照して、２つのデータベースを合成するデータベース合成処理を説明する。予め、記憶部１ｅには、データベース合成処理のプログラムコードと、それぞれデータベース名を含む複数のデータベースと、データベース毎に作成された分類用データファイルとが記憶されている。
【０１０２】
そして、ＣＰＵ１ａは、操作者から入力部１ｂを介してデータベース合成処理実行指示が入力されたことをトリガーとして、記憶部１ｅに予め記憶されているデータベース合成処理のプログラムデータを読込んで、当該プログラムデータをＲＡＭ１ｃに展開自在に、データベース合成処理の実行を開始する。
【０１０３】
先ず、ＣＰＵ１ａは、記憶部１ｅから各データベース名を読込み、当該データベース名を表示し、合成するデータベースを選択させるためのデータベース選択画面を表示部１ｄに表示させる（ステップＳ２０）。そして、ＣＰＵ１ａは、入力部１ｂに、操作者からの合成する複数のデータベース名の選択入力を受付けさせる（ステップＳ２１）。そして、ＣＰＵ１ａは、ステップＳ２１において選択された複数のデータベース名に対応する記憶部１ｅに記憶された複数のデータベースを合成する（ステップＳ２１ａ）。ステップＳ２１ａは、例えば、選択されたデータベースのインデクスファイルを合成する。
【０１０４】
そして、ＣＰＵ１ａは、記憶部１ｅから、ステップＳ２１において選択された複数のデータベース名に対応する複数の分類用データファイルを読込み、当該複数の分類用データファイルのうちの１つから最初の画像ファイル名を選択する（ステップＳ２２）。ここで、ステップＳ２１において２つの分類用データファイルが選択され、ステップＳ２２又はＳ２６において選択された分類用データファイルを当方の分類用データファイルとし、選択されていない分類用データファイルを他方の分類用データファイルとして説明する。
【０１０５】
そして、ＣＰＵ１ａは、当方の分類用データファイルの画像ファイル名が属するアプリケーションＩＤが、他方の分類用データファイルに格納されたアプリケーションＩＤと同じであるかを判別する（ステップＳ２３）。アプリケーションＩＤが同じである場合（ステップＳ２３；ＹＥＳ）、ＣＰＵ１ａは、当方の分類用データファイルの選択された画像ファイル名が属するカテゴリＩＤが、他方の分類用データファイルに格納されたカテゴリＩＤと同じであるかを判別する（ステップＳ２４）。アプリケーションＩＤが同じでない場合（ステップＳ２３；ＮＯ）、データベース合成処理を終了する。アプリケーションＩＤが同じ場合に分類用データファイルが合成できるからである。
【０１０６】
カテゴリＩＤが同じである場合（ステップＳ２４；ＹＥＳ）、ＣＰＵ１ａは、当方の分類用データファイルの選択された画像ファイル名について、ＲＡＭ１ｃに格納されている合成分類用データファイル中に同じカテゴリＩＤの同じ画像ファイル名があるかを判別する（ステップＳ２５）。同じ画像ファイル名がある場合（ステップＳ２５；ＹＥＳ）、ＣＰＵ１ａは、ステップＳ２１において選択された複数のデータベースに対応する分類用データファイルのうちの１つから、まだ選択されていない次の画像ファイル名を選択する（ステップＳ２６）。ステップＳ２６は、ステップＳ２１で選択された分類用データファイル中の全ての画像ファイル名を選択していき、未選択の画像ファイル名がなければ選択はしない。
【０１０７】
カテゴリＩＤが同じでない場合（ステップＳ２４；ＮＯ）又は同じ画像ファイル名がない場合（ステップＳ２５；ＮＯ）、ＣＰＵ１ａは、合成分類用データファイルに現在選択されている当方の分類用データファイル中の画像ファイル名をそのアプリケーションＩＤ及びカテゴリＩＤと共に書込みＲＡＭ１ｃに格納し（ステップＳ２７）、ステップＳ２６へ進む。ステップＳ２７において、書込むべきアプリケーションＩＤ及びカテゴリＩＤが既に書込まれている場合、その既に書込まれているアプリケーションＩＤ及びカテゴリＩＤに対応付けて、画像ファイル名のみを書込む。
【０１０８】
ステップＳ２６の実行後、ＣＰＵ１ａは、ステップＳ２６において画像ファイル名が選択されたかを判別する（ステップＳ２８）。画像ファイル名が選択された場合（ステップＳ２８；ＹＥＳ）、ステップＳ２４へ進む。画像ファイル名が選択されなかった場合（ステップＳ２８；ＮＯ）、ＣＰＵ１ａは、ＲＡＭ１ｃに格納された合成分類用データファイルを記憶部１ｅに記憶し（ステップＳ２９）、データベース合成処理を終了する。
【０１０９】
ここで、図１１及び図１２を参照して、分類用データファイルを合成する例を説明する。図１１に示す、分類用データファイル１２、１３の２つを合成する場合、アプリケーションＩＤは、「ＡＰＰＬＩＡ」で同一であり、カテゴリＩＤは、分類用データファイル１２が「Ｉ４１４７９」、「Ｉ１８」、「Ｍ２８５」であり、分類用データファイル１３が「Ｉ３２８９」、「Ｉ４１４７９」、「Ｍ３２８９」であり、「Ｉ４１４７９」が同じである。
【０１１０】
しかし、カテゴリＩＤが「Ｉ４１４７９」で画像ファイル名が同一のものは存在しなく、結局、図１２に示すように、カテゴリＩＤ「Ｉ４１４７９」がまとめられ、全ての画像ファイル名を書込まれた合成分類用データファイル１４が作成及び記憶される。
【０１１１】
よって、本実施の形態によれば、複数のデータベースの合成と共に、その複数の分類用データファイルを自動的に合成するので、複数のデータベースを合成する場合にも画像ファイルを容易に確実に分類することができる。また、分類用データファイルはカテゴリＩＤと絶対アドレスを含む画像ファイル名を含むので、合成後もカテゴリＩＤに応じて画像ファイルを効率的に検索できる。
【０１１２】
また、画像ファイル名にカテゴリＩＤを含める場合、画像ファイル名を検索するだけでカテゴリＩＤを検索するので、カテゴリＩＤを迅速に検索することができる。また、分類用データファイルはアプリケーションＩＤを含むので、分類用データファイルが合成可能かを容易に識別できる。また、カテゴリＩＤが同じ画像ファイルを自動的に合成することができる。
【０１１３】
なお、画像ファイル表示処理、画像ファイル分類処理、データベース合成処理のプログラムを可搬の記録媒体に記録する場合、画像ファイルやアイコンファイル（及び動画ファイル）をその記録媒体に記録させる構成でもよい。
【０１１４】
以上、本発明の実施の形態につき説明したが、本発明は、必ずしも上述した手段及び手法にのみ限定されるものではなく、本発明にいう目的を達成し、本発明にいう効果を有する範囲内において適宜に変更実施が可能なものである。
【０１１５】
【発明の効果】
請求項１、１０、１９又は２８記載の発明によれば、画像情報に複数の分類用画像情報を対応付けて、細かく確実に画像情報を分類することができる。
【０１１６】
請求項２、１１、２０又は２９記載の発明によれば、静止画のアイコン情報又は動画の分類用画像情報を用いるので、より細かく画像情報を分類することができる。
【０１１７】
請求項３、１２、２１又は３０記載の発明によれば、少なくとも、人物、時間、イベント、場所を示す分類用画像情報を用いるので、操作者の要望に応じて、より細かく画像情報を分類することができる。
【０１１８】
請求項４、１３、２２又は３１記載の発明によれば、分類用画像情報は、その作成により容易に追加されることができ、追加された分類用画像情報により細かく画像情報を分類することができる。
【０１１９】
請求項５、１４、２３又は３２記載の発明によれば、分類用画像情報は、外部機器から受信して容易に追加されることができ、追加された分類用画像情報により細かく画像情報を分類することができる。
【０１２０】
請求項６、１５、２４又は３３記載の発明によれば、複数のデータベースの合成と共に、その分類情報を自動的に合成するので、複数のデータベースを合成する場合にも画像情報を容易に確実に分類することができる。
【０１２１】
請求項７、１６、２５又は３４記載の発明によれば、分類情報はカテゴリＩＤと絶対アドレスを含む画像情報名を含むので、データベース合成後もカテゴリＩＤに応じて画像情報を効率的に検索できる。
【０１２２】
請求項８、１７、２６又は３５記載の発明によれば、画像情報名にカテゴリＩＤを含めるので、画像情報名を検索するだけでカテゴリＩＤを検索するので、カテゴリＩＤを迅速に検索することができる。
【０１２３】
請求項９、１８、２７又は３６記載の発明によれば、分類情報はプログラムＩＤを含むので、分類情報が合成可能かを容易に識別できる。
【図面の簡単な説明】
【図１】本発明における第１の実施の形態の画像表示装置１を示す概略図である。
【図２】画像表示装置１の内部構成を示す図である。
【図３】第１の画像ファイル分類処理のフローチャートである。
【図４】メニュー画面Ｄ１を示す図である。
【図５】画像選択画面Ｄ２を示す図である。
【図６】アイコン選択画面Ｄ３を示す図である。
【図７】アルバム選択画面Ｄ４を示す図である。
【図８】複数のアイコンが付与されたアルバムＤ４２ａを示す図である。
【図９】分類用データファイル１１の構成を示す図である。
【図１０】データベース合成処理のフローチャートである。
【図１１】合成する２つの分類用データファイルの構成を示す図である。
【図１２】合成後の分類用データファイルの構成を示す図である。
【符号の説明】
１…画像表示装置
１ａ…ＣＰＵ
１ｂ…入力部
１ｃ…ＲＡＭ
１ｄ…表示部
１ｅ…記憶部
１ｆ…通信部
１ｇ…接続部
１ｈ…バス
【図１】
2004013505.tif 000003
【図２】
2004013505.tif 000004
【図３】
2004013505.tif 000005
【図４】
2004013505.tif 000006
【図５】
2004013505.tif 000007
【図６】
2004013505.tif 000008
【図７】
2004013505.tif 000009
【図８】
2004013505.tif 000010
【図９】
2004013505.tif 000011
【図１０】
2004013505.tif 000012
【図１１】
2004013505.tif 000013
【図１２】
2004013505.tif 000014